(57)【要約】【課題】インジケーターが正確に変色し易く、取り替え時期の正確性が向上する吸収性物品を提供すること。【解決手段】本発明の実施形態であるおむつ１Ａは、裏面シート３と吸収体４との間に、インジケーター６の塗工されたインジケーター塗工領域６０が配さている。吸収体４は、おむつ１Ａ全長に亘る下層吸収体４１と腹側部Ａから股下部Ｃにのみ亘る上層吸収体４２とからなり、上層吸収体４２と下層吸収体４１とが重なるメイン吸収領域４Ｍと、それ以外のサブ吸収領域４Ｅとに区分される。下層吸収体４１の吸収ポリマーの坪量はメイン吸収領域４Ｍがサブ吸収領域４Ｅよりも大きい。上層吸収体４２の吸収ポリマーの坪量は下層吸収体４１よりも小さい。インジケーター塗工領域６０はメイン吸収領域４Ｍに配されており、インジケーター塗工領域６０の背側部Ｂ側の端部６０ｂが、メイン吸収領域４Ｍの背側部Ｂ側の端部４Ｍｂ近傍にある。【選択図】図３
2014117467.tif 000002
【特許請求の範囲】
【請求項１】
肌対向面側に配された表面シートと、非肌対向面側に配された裏面シートと、これら両シート間に配された吸収体とを備え、腹側部、背側部及び股下部に区分された縦長の吸収性本体を有し、該吸収性本体には、該裏面シートと該吸収体との間に、色の変化により排泄を知らせるインジケーターの塗工されたインジケーター塗工領域が縦方向に配されている吸収性物品であって、
前記吸収体は、前記腹側部から前記背側部に亘る下層吸収体と、該下層吸収体の肌対向面上に配された前記腹側部から前記股下部にのみ亘る上層吸収体とからなり、前記吸収体を平面視して、該上層吸収体と該下層吸収体とが重なるメイン吸収領域と、該メイン吸収領域以外のサブ吸収領域とに区分されており、
前記吸収体は、吸収ポリマー及びセルロース繊維を含み、
前記下層吸収体は、前記メイン吸収領域に属する領域の前記吸収ポリマーの坪量が前記サブ吸収領域に属する領域の前記吸収ポリマーの坪量よりも大きく、
前記上層吸収体は、その前記吸収ポリマーの坪量が前記下層吸収体の前記吸収ポリマーの坪量よりも小さく、又は前記吸収ポリマーを含まず、
前記吸収性物品を平面視して、前記インジケーター塗工領域は前記メイン吸収領域に配されており、該インジケーター塗工領域の縦方向の背側部側の端部が、該メイン吸収領域の縦方向の背側部側の端部近傍に配されている吸収性物品。
【請求項２】
前記インジケーター塗工領域の縦方向の腹側部側の端部が、前記メイン吸収領域の縦方向の腹側部側の端部近傍に配されている請求項１に記載の吸収性物品。
【請求項３】
前記上層吸収体の前記セルロース繊維は、架橋されたセルロース繊維である請求項１又は２に記載の吸収性物品。
【請求項４】
前記吸収体と前記表面シートとの間に、前記上層吸収体よりも圧縮仕事量の低い親水性のサブレイヤーシートが配されている請求項１〜３の何れか１項に記載の吸収性物品。
【請求項５】
前記下層吸収体は下層吸収性コアを被覆材で包んで形成されており、
前記被覆材は、その液透過性が、前記上層吸収体の液透過性よりも低い請求項１〜４の何れか１項に記載の吸収性物品。
【請求項６】
前記吸収性物品を平面視したとき、前記インジケーター塗工領域が、縦方向においては前記上層吸収体の前後端近傍に達し、横方向においては少なくとも塗工領域の一部が前記上層吸収体の両側部まで塗工されている請求項１〜５の何れか１項に記載の吸収性物品。
【請求項７】
前記上層吸収体を形成する上層吸収性コア及び前記下層吸収体を形成する下層吸収性コアは矩形状であり、該上層吸収性コアは該下層吸収性コアよりも縦方向の長さが短く、かつ幅方向の長さは短い請求項１〜６何れか１項に記載の吸収性物品。
【請求項８】
前記上層吸収体を形成する上層吸収性コアは矩形状であり、前記下層吸収体を形成する下層吸収性コアは股下部で括れた形状であり、該上層吸収性コアは該下層吸収性コアよりも縦方向の長さが短く、かつ幅方向の長さは股下部において該上層吸収性コアと該下層吸収性コアとで等しい請求項１〜６何れか１項に記載の吸収性物品。
【発明の詳細な説明】
【技術分野】
【０００１】
本発明は、使い捨ておむつ等の吸収性物品に関する。
【背景技術】
【０００２】
従来、着用者が排泄したか否かを色により判断するインジケーターを備えた使い捨ておむつが知られている。インジケーターを備えた使い捨ておむつとして、例えば、本出願人は先に、着用者肌面側に位置する肌側吸収体と着用者非肌面側に位置する非肌側吸収体とを備え、該非肌側吸収体と非肌当接面側の裏面シートとの間に、液との接触により視覚的に変化するインジケーターが設けられた使い捨ておむつを提案した（特許文献１参照）。特許文献１に記載の使い捨ておむつは、排泄された排尿等によって生じた変色で取り替え時期が認識し易いものである。
【先行技術文献】
【特許文献】
【０００３】
【特許文献１】特開２０１１−２４００４９号公報
【発明の概要】
【発明が解決しようとする課題】
【０００４】
一般的に、使い捨ておむつ等の吸収性物品は、例えば排尿口にあたる股下部から腹側部にかけて排尿が吸収される割合が高く、逆に排尿口から遠い背側部まで排尿が拡散し難いものである。ここで、特許文献１に記載の使い捨ておむつは、肌側吸収体及び非肌側吸収体それぞれが腹側部から背側部に亘って配されており、インジケータも腹側部から背側部に亘って配されている。その為、排尿があった際に、背側部側に配されたインジケーターの部分が変色し難い場合があり、該部分の変色が起こっていないことを指標として取り替え判断を行ってしまうと、股下部分から排尿が漏れ出してしまうことがあり、取り替え時期の正確性に改良の余地があった。また、特許文献１には、前記効果を奏させるために、肌側吸収体と非肌側吸収体とをどのように配し、更にそれらとインジケータとをどのように配するかに関して何ら記載されていない。
【０００５】
従って、本発明は、前述したニーズを満足し得る吸収性物品を提供することに関するものである。
【課題を解決するための手段】
【０００６】
本発明は、肌対向面側に配された表面シートと、非肌対向面側に配された裏面シートと、これら両シート間に配された吸収体とを備え、腹側部、背側部及び股下部に区分された縦長の吸収性本体を有し、該吸収性本体には、該裏面シートと該吸収体との間に、色の変化により排泄を知らせるインジケーターの塗工されたインジケーター塗工領域が縦方向に配されている吸収性物品であって、前記吸収体は、前記腹側部から前記背側部に亘る下層吸収体と、該下層吸収体の肌対向面上に配された前記腹側部から前記股下部にのみ亘る上層吸収体とからなり、前記吸収体を平面視して、該上層吸収体と該下層吸収体とが重なるメイン吸収領域と、該メイン吸収領域以外のサブ吸収領域とに区分されており、前記吸収体は、吸収ポリマー及びセルロース繊維を含み、前記下層吸収体は、前記メイン吸収領域に属する領域の前記吸収ポリマーの坪量が前記サブ吸収領域に属する領域の前記吸収ポリマーの坪量よりも大きく、前記上層吸収体は、その前記吸収ポリマーの坪量が前記下層吸収体の前記吸収ポリマーの坪量よりも小さく、又は前記吸収ポリマーを含まず、前記吸収性物品を平面視して、前記インジケーター塗工領域は前記メイン吸収領域に配されており、該インジケーター塗工領域の縦方向の背側部側の端部が、該メイン吸収領域の縦方向の背側部側の端部近傍に配されている吸収性物品を提供するものである。
【発明の効果】
【０００７】
本発明の吸収性物品によれば、インジケーターが正確に変色し易く、取り替え時期の正確性が向上する。このように、取り替え時期の正確性が向上するので、本発明の吸収性物品によれば、取替え時期を逸することなく股下部分から排尿等の体液が漏れ出し難い。
【図面の簡単な説明】
【０００８】
【図１】図１は、本発明の第１実施形態である展開型の使い捨ておむつを表面シート側から見た一部破断平面図である。
【図２】図２は、図１のＩ−Ｉ線断面図である。
【図３】図３は、図１のＩＩ−ＩＩ線断面図である。
【図４】図４（ａ）〜（ｅ）は、使い捨ておむつの備えるインジケーター塗工領域のその他の実施形態を説明するための図である。
【図５】図５は、本発明の第２実施形態である展開型の使い捨ておむつの股下部を横方向に断面視した横断面図である（図２相当図）。
【図６】図６は、本発明の第２実施形態である展開型の使い捨ておむつを縦方向に断面視した縦断面図である（図３相当図）。
【図７】図７は、液透過時間の測定方法に用いる装置の図である。
【発明を実施するための形態】
【０００９】
以下、本発明の吸収性物品を、その好ましい第１実施形態に基づき、図１〜図３を参照しながら説明する。図１には本発明の第１実施形態である展開型の使い捨ておむつを表面シート側から見た一部破断平面図が示されており、図２には図１のＩ−Ｉ線断面図が示されている。また、図３には、図１のＩＩ−ＩＩ線断面図が示されている。
【００１０】
第１実施形態の使い捨ておむつ１Ａ（以下、「おむつ１Ａ」ともいう。）は、図１に示すように、肌対向面側に配された表面シート２と、非肌対向面側に配された裏面シート３と、これら両シート２，３間に配された吸収体４とを備えた、腹側部Ａ、背側部Ｂ及び股下部Ｃに区分された縦長の吸収性本体１０を有している。そして、吸収性本体１０には、裏面シート３と吸収体４との間に、色の変化により排泄を知らせるインジケーター６の塗工されたインジケーター塗工領域６０が縦方向に配されている。おむつ１Ａは、図１に示すように、縦方向に延びる中心線ＣＬに対して左右対称に形成されている。
【００１１】
おむつ１Ａについて、詳述すると、おむつ１Ａの吸収性本体１０は、図１に示すように、縦方向（以下「Ｙ方向」ともいう。Ｙ方向：中心線ＣＬに平行な方向をいう。）に、腹側部Ａ、背側部Ｂ及びこれらＡ，Ｂの間に位置する股下部Ｃを有している。腹側部Ａは、おむつ着用時に着用者の腹側に位置する部位であり、背側部Ｂは、着用者の背側に位置する部位であり、股下部Ｃは、着用者の股下に位置する部位である。股下部Ｃは、おむつ１Ａの縦方向（Ｙ方向）中央部に位置している。尚、縦方向（Ｙ方向）に直交する方向を、おむつ１Ａの横方向（以下「Ｘ方向」ともいう。）として説明する。
また、本明細書において、「肌対向面」とは、おむつ１Ａを構成する表面シート２などの各部材の表裏両面のうち、着用時に着用者の肌側に配される面であり、「非肌対向面」とは、表面シート２などの各部材の表裏両面のうち、着用時に着用者の肌側とは反対側に向けられる面である。
【００１２】
おむつ１Ａの吸収性本体１０は、図１に示すように、腹側部Ａの縦方向（Ｙ方向）に沿う左右両側縁及び背側部Ｂの縦方向（Ｙ方向）に沿う左右両側縁それぞれが股下部Ｃの縦方向（Ｙ方向）に沿う左右両側縁よりも横方向（Ｘ方向）外方に延出している。そして、股下部Ｃの左右両側縁が横方向（Ｘ方向）内方（中心線ＣＬ）に向かって凸状に湾曲しており、全体として縦方向（Ｙ方向）中央部が内方に括れた形状を有している。表面シート２及び裏面シート３はそれぞれ、吸収体４の縦方向（Ｙ方向）に沿う左右両側縁及び縦方向（Ｙ方向）の前後両端縁から外方に延出している。表面シート２は、図２に示すように、その横方向（Ｘ方向）の寸法が、裏面シート３の横方向（Ｘ方向）の寸法より小さくなっている。表面シート２及び裏面シート３はそれぞれ、吸収体４の外周縁から外方に延出した延出部において直接的に又は他の部材を介在させて互いに接合されており、吸収体４を挟持・固定している。
【００１３】
おむつ１Ａの吸収性本体１０には、図１及び図２に示すように、縦方向（Ｙ方向）に沿う両側部１０ｓ，１０ｓそれぞれに、表面シート２を介してサイドシート５が配されている。サイドシート５は、図１に示すように、表面シート２の肌対向面側であって、縦方向（Ｙ方向）に沿う側部全域に亘って配設固定されている。各サイドシート５のＸ方向の内方側（中心線ＣＬ寄り）の端部は、図２に示すように、自由端となっており、自由端近傍には、股下部Ｃにおいて、立体ギャザー形成用の弾性部材５１が縦方向（Ｙ方向）に伸長状態で配設固定されており、着用時には、その弾性部材の収縮力により、自由端から所定幅の部分が表面シート２から離間して立体ギャザーを形成する。
【００１４】
各サイドシート５のＸ方向の外方側の端部は、図２に示すように、裏面シート３と固定されており、各サイドシート５の外方側の端部と裏面シート３との間には、股下部Ｃにおいて、レッグギャザー形成用の弾性部材５２が縦方向（Ｙ方向）に伸長状態で配設固定されており、着用時には、その弾性部材の収縮力により、レッグギャザーが形成される。
【００１５】
おむつ１Ａは、図１に示すように、いわゆる展開型のおむつであり、吸収性本体１０の背側部Ｂの左右両外方に連設された左右一対の伸縮パネル７ｂ，７ｂを有している。おむつ１Ａの一対の伸縮パネル７ｂ，７ｂは、背側部Ｂにおいて、その中心線ＣＬ寄りの端部が、裏面シート３の非肌対向面に固定されており、吸収性本体５の背側部Ｂの左右両外方に連設されている。尚、おむつ１Ａにおいては、一対の伸縮パネル７ｂ，７ｂは、裏面シート３の非肌対向面に固定されているが、表面シート２を介して配されたサイドシート５と裏面シート３との間で固定されていてもよい。各伸縮パネル７ｂには、機械的面ファスナーのオス部材からなる止着部７１が取り付けられたファスニングテープ７２がＸ方向外方に延出して取り付けられている。伸縮パネル７ｂは、接着剤や融着等の手段を用いて吸収性本体１０に固定されている。
【００１６】
また、おむつ１Ａは、図１に示すように、吸収性本体１０の腹側部Ａの左右両外方に連設された左右一対のパネル材７ａ，７ａを有している。おむつ１Ａの一対のパネル材７ａ，７ａは、腹側部Ａにおいて、図１に示すように、その中心線ＣＬ寄りの端部が、表面シート２を介して配されたサイドシート５と裏面シート３との間で固定されており、吸収性本体５の腹側部Ａの左右両外方に連設されている。尚、おむつ１Ａにおいては、一対のパネル材７ａ，７ａは、サイドシート５と裏面シート３との間で固定されているが、裏面シート３の非肌対向面に固定されていてもよい。パネル材７ａは、接着剤や融着等の手段を用いて吸収性本体１０に固定されている。また、腹側部Ａの非肌対向面には、背側部Ｂのファスニングテープ７２の止着部７１を止着させるランディングテープ７３が、一対のパネル材７ａ，７ａどうしの間に、設けられている。
【００１７】
吸収体４は、図１に示すように、腹側部Ａから背側部Ｂに亘る下層吸収体４１と、下層吸収体４１の肌対向面上に配された腹側部Ａから股下部Ｃにのみ亘る上層吸収体４２とからなる。おむつ１においては、図２及び図３に示すように、上層吸収体４２は、腹側部Ａから股下部Ｃのみに亘り、下層吸収体４１は、腹側部Ａから股下部Ｃ、さらに背側部Ｂに亘るため、長手方向（縦方向（Ｙ方向））の長さは上層吸収体４２よりも下層吸収体４１が長く形成されている。さらに好ましくは、下層吸収体４１が縦長の矩形状の場合、上層吸収体４２の幅は下層吸収体４１の幅より短くなる。上層吸収体４２を幅狭くすることで吸収体４の柔軟性が得やすくなるので、身体へのフィット性が良い。縦方向（Ｙ方向）の長さも上記のよう上層吸収体４２を短くすることで、腹側部Ａから背側部Ｂにかけて湾曲しやすくなり、身体へのフィット性が向上する。ただし、下層吸収体４１が股下部Ｃで括れた形状の場合、上層吸収体４２の幅と下層吸収体４１の幅は股下部Ｃでのみ等しい場合がある。具体的には、縦方向（Ｙ方向）の長さは、上層吸収体４２が下層吸収体４１の２０％以上好ましくは４０％以上、８０％以下好ましくは６０％以下である。幅は、上層吸収体４２が、下層吸収体４１の４０％以上好ましくは６０％以上、９５％以下好ましくは８０％以下である。
【００１８】
下層吸収体４１は、おむつ１においては、図２及び図３に示すように、下層吸収性コア４１１と下層吸収性コア４１１を包む被覆材４１２とを有し、下層吸収性コア４１１を被覆材４１２で包んで形成されている。上層吸収体４２は、被覆材を有さず、上層吸収性コア４２１のみから形成されている。下層吸収性コア４１１の坪量は、１００ｇ／ｍ2以上１０００ｇ／ｍ2以下であることが好ましく、被覆材４１２の坪量は、３ｇ／ｍ2以上２０ｇ／ｍ2以下であることが好ましい。一方、上層吸収性コア４２１の坪量は、５０ｇ／ｍ2以上５００ｇ／ｍ2以下であることが好ましい。
【００１９】
下層吸収体４１について詳述すると、下層吸収性コア４１１は、おむつ１Ａにおいては、図１に示すように、腹側部Ａ側の縦方向（Ｙ方向）に沿う両側縁及び背側部Ｂ側の縦方向（Ｙ方向）に沿う両側縁それぞれが股下部Ｃの縦方向（Ｙ方向）に沿う両側縁よりも横方向（Ｘ方向）外方に延出しており、全体として縦方向（Ｙ方向）中央部から腹側部Ａ寄りの部分が内方に括れた形状に形成されている。また、下層吸収性コア４１１は、おむつ１Ａにおいては、図２及び図３に示すように、下層吸収性コア４１１の肌対向面及び非肌対向面それぞれが平坦となっている。そして、下層吸収体４１は、おむつ１Ａにおいては、図２に示すように、１枚の被覆材４１２を用いて、被覆材４１２の両側部を折り返し、下層吸収性コア４１１の非肌対向面側（裏面シート３側）に、被覆材４１２の側縁部どうしを重ねるようにして下層吸収性コア４１１を包んで形成されている。このように形成された下層吸収体４１が、腹側部Ａから背側部Ｂに亘って形成されている。尚、おむつ１Ａにおいては、前述のとおり、下層吸収体４１が下層吸収性コア４１１を１枚の被覆材４１２で包んで形成されているが、下層吸収性コア４１１の肌対向面側及び非肌対向面側に配された２枚の被覆材４１２で挟んで形成されていてもよい。
【００２０】
上層吸収体４２について詳述すると、上層吸収性コア４２１は、おむつ１Ａにおいては、図１に示すように、その幅が下層吸収体４１の下層吸収性コア４１１の股下部Ｃにおける両側縁間の幅と略一致しており、腹側部Ａから股下部Ｃにのみ亘る縦方向（Ｙ方向）に長い矩形状に形成されている。また、上層吸収性コア４２１は、おむつ１Ａにおいては、図２及び図３に示すように、上層吸収性コア４２１の肌対向面及び非肌対向面それぞれが平坦となっている。そして、上層吸収体４２は、図２に示すように、上層吸収性コア４２１のみで形成されている。このように形成された上層吸収体４２が、腹側部Ａから股下部Ｃにのみに亘って形成されている。即ち、上層吸収体４２は、背側部Ｂには形成されていない。
【００２１】
吸収体４は、図１に示すように、吸収体４を平面視して、上層吸収体４２と下層吸収体４１とが重なるメイン吸収領域４Ｍと、メイン吸収領域４Ｍ以外のサブ吸収領域４Ｅとに区分されている。言い換えれば、メイン吸収領域４Ｍは、上層吸収体４２及び下層吸収体４１の２層構成の領域であり、サブ吸収領域４Ｅは、下層吸収体４１のみの単層構成の領域である。さらに具体的に説明すると、おむつ１Ａにおいては、図１に示すように、上層吸収性コア４２１の幅が下層吸収体４１の最も狭い位置での幅と略一致しているので、矩形状の上層吸収性コア４２１の全体が、中央部分が内方に括れた形状の下層吸収体４１上に配されている。その為、おむつ１Ａにおいて、上層吸収性コア４２１と下層吸収体４１とが重なる２層構成のメイン吸収領域４Ｍは、上層吸収性コア４２１の配された領域を意味しており、サブ吸収領域４Ｅは、下層吸収体４１における上層吸収性コア４２１の配されていない下層吸収体４１単層のみからなる領域を意味している。
【００２２】
吸収体４は、吸収ポリマー及びセルロース繊維を含んでいる。そして、下層吸収体４１は、メイン吸収領域４Ｍに属する領域の吸収ポリマーの坪量がサブ吸収領域４Ｅに属する領域の吸収ポリマーの坪量よりも大きくなっている。具体的には、下層吸収体４１の下層吸収性コア４１１は、おむつ１Ａにおいては、吸収ポリマー及びセルロース繊維から形成されている。下層吸収性コア４１１におけるメイン吸収領域４Ｍに属する領域の吸収ポリマーの坪量は、好ましくは５０ｇ／ｍ2以上、更に好ましくは１００ｇ／ｍ2以上であり、また、好ましくは５００ｇ／ｍ2以下、更に好ましくは４００ｇ／ｍ2以下であり、具体的には、５０ｇ／ｍ2以上５００ｇ／ｍ2以下であることが好ましく、１００ｇ／ｍ2以上４００ｇ／ｍ2以下であることが更に好ましい。下層吸収性コア４１１におけるメイン吸収領域４Ｍに属する領域のセルロース繊維の坪量は、好ましくは０ｇ／ｍ2以上であり、また、好ましくは３００ｇ／ｍ2以下、更に好ましくは２００ｇ／ｍ2以下であり、具体的には、０ｇ／ｍ2以上３００ｇ／ｍ2以下であることが好ましく、０ｇ／ｍ2以上２００ｇ／ｍ2以下であることが更に好ましい。一方、下層吸収性コア４１１におけるサブ吸収領域４Ｅに属する領域の吸収ポリマーの坪量は、好ましくは２０ｇ／ｍ2以上、更に好ましくは５０ｇ／ｍ2以上であり、また、好ましくは４００ｇ／ｍ2以下、更に好ましくは３００ｇ／ｍ2以下であり、具体的には、２０ｇ／ｍ2以上４００ｇ／ｍ2以下であることが好ましく、５０ｇ／ｍ2以上３００ｇ／ｍ2以下であることが更に好ましい。下層吸収性コア４１１におけるサブ吸収領域４Ｅに属する領域のセルロース繊維の坪量は、好ましくは０ｇ／ｍ2以上であり、また、好ましくは２５０ｇ／ｍ2以下、更に好ましくは２００ｇ／ｍ2以下であり、具体的には、０ｇ／ｍ2以上２５０ｇ／ｍ2以下であることが好ましく、０ｇ／ｍ2以上２００ｇ／ｍ2以下であることが更に好ましい。また、下層吸収性コア４１１におけるメイン吸収領域４Ｍに属する領域の吸収ポリマーの坪量は、下層吸収性コア４１１におけるサブ吸収領域４Ｅに属する領域の吸収ポリマーの坪量に比べて、尿を効率的に吸収する観点から、１０ｇ／ｍ2以上大きいことが好ましく、２０ｇ／ｍ2以上大きいことが更に好ましい。下層吸収性コア４１１におけるメイン吸収領域４Ｍに属する領域の吸収ポリマー及びセルロース繊維の坪量、並びにサブ吸収領域４Ｅに属する領域の吸収ポリマー及びセルロース繊維の坪量は、以下の方法により測定する。
【００２３】
＜下層吸収性コア４１１におけるメイン吸収領域４Ｍに属する領域の吸収ポリマー及びセルロース繊維の坪量、並びにサブ吸収領域４Ｅに属する領域の吸収ポリマー及びセルロース繊維の坪量の測定方法＞
先ず、吸収体４を水平な台の上に設置し、上層吸収体４２と下層吸収体４１とが重なるメイン吸収領域４Ｍにて、７０ｍｍ×７０ｍｍの大きさに裁断し、この裁断したサンプルから上層吸収体４２の部分と被覆材４１２を取り除き、これを下層吸収性コア４１１におけるメイン吸収領域４Ｍに属する領域のサンプルとする。吸収体の大きさの関係上、所定のサンプルサイズを裁断するのが困難な場合は、吸収体の大きさに合わせて裁断するサンプルサイズを変更してもよい。重量を測定したヒートシールで封じたナイロンパック（ｍｅｓｈ  ｎｏ．２５０）の袋に同じく重量を測定したサンプルを封入し、０．１％アスコルビン酸、０．０１％リボフラビン（ＶｉｔａｍｉｎＢ２）水溶液にサンプルが溶液を吸収して膨張するまで浸漬し、２０時間以上太陽光により露光する。その後、パック内のサンプルの黄色が検出されなくなるまで、あるいはパルプの白色となるまで随時水洗を行い、水溶化したポリマーを、パック外にすすぎ出す。次に、８００ｒｐｍの条件下で１０分間遠心脱水を施し、８０℃にて、１２時間〜２４時間乾燥させ、サンプルからの減量分を吸収ポリマー量として算出し、また、サンプルの重量から、その減量分を差し引いた量をセルロース繊維量とする。サンプル数は３点以上とし、それらの平均値を求め、裁断したサンプルの面積から各吸収ポリマーの坪量及び各セルロース繊維の坪量を算出する。同様に、下層吸収性コア４１１におけるサブ吸収領域４Ｅに属する領域の吸収ポリマー及びセルロース繊維の坪量を測定する。
【００２４】
上層吸収体４２は液をすばやく下層吸収体４１へ伝えることが好ましく、かかる点から上層吸収体４２の上層吸収性コア４２１は、少なくともセルロース繊維を用いることができ、より好ましくは架橋セルロース繊維から形成された積繊体を用いる。なお上層吸収体４２には被覆材を備えないが、吸収ポリマーが含まれる場合は、下層吸収体４１を包む被覆材４１２で上層吸収体４２も包んでもよく、下層吸収体４１とは別に上層吸収体４２のみを被覆材で包んでもよい。上層吸収体４２は、その吸収ポリマーの坪量が下層吸収体４１の吸収ポリマーの坪量よりも小さくなっているか又は吸収ポリマーを含まないものである。具体的には、おむつ１Ａにおいては、上層吸収体４２（上層吸収性コア４２１）は、架橋セルロース繊維から形成された積繊体であり、含有する吸収ポリマーの坪量は、好ましくは０ｇ／ｍ2以上であり、また、好ましくは３００ｇ／ｍ2以下、更に好ましくは２００ｇ／ｍ2以下であり、具体的には、０ｇ／ｍ2以上３００ｇ／ｍ2以下であることが好ましく、０ｇ／ｍ2以上２００ｇ／ｍ2以下であることが更に好ましい。上層吸収性コア４２１のセルロース繊維の坪量は、好ましくは５０ｇ／ｍ2以上、更に好ましくは１００ｇ／ｍ2以上であり、また、好ましくは５００ｇ／ｍ2以下、更に好ましくは３００ｇ／ｍ2以下であり、具体的には、５０ｇ／ｍ2以上５００ｇ／ｍ2以下（上述した上層吸収性コア４２１の坪量と同じ範囲）であることが好ましく、１００ｇ／ｍ2以上３００ｇ／ｍ2以下であることが更に好ましい。また、下層吸収性コア４１１の吸収ポリマーの坪量（下層吸収性コア４１１におけるメイン吸収領域４Ｍに属する領域の吸収ポリマーの坪量及びサブ吸収領域４Ｅに属する領域の吸収ポリマーの坪量の平均値）は、好ましくは１００ｇ／ｍ2以上、更に好ましくは１５０ｇ／ｍ2以上であり、また、好ましくは４００ｇ／ｍ2以下、更に好ましくは３５０ｇ／ｍ2以下であり、具体的には、１００ｇ／ｍ2以上４００ｇ／ｍ2以下であることが好ましく、１５０ｇ／ｍ2以上３５０ｇ／ｍ2以下であることが更に好ましい。また、上層吸収体４２１の吸収ポリマーの坪量は、下層吸収性コア４１１の吸収ポリマーの坪量（下層吸収性コア４１１におけるメイン吸収領域４Ｍに属する領域の吸収ポリマーの坪量及びサブ吸収領域４Ｅに属する領域の吸収ポリマーの坪量の平均値）に比べて、液拡散性を高める観点から、５０ｇ／ｍ2以上小さいことが好ましく、１００ｇ／ｍ2以上小さいことが更に好ましい。上層吸収体４２１の吸収ポリマーの坪量は、以下の方法により測定する。
【００２５】
＜上層吸収体４２１の吸収ポリマー及びセルロース繊維の坪量の測定方法＞
先ず、上層吸収体４２と下層吸収体４１とを分離して、分離した上層吸収体４２を水平な台の上に設置し、７０ｍｍ×７０ｍｍの大きさに裁断し、これを測定サンプルとする。測定は、上述した＜下層吸収性コア４１１におけるメイン吸収領域４Ｍに属する領域の吸収ポリマー及びセルロース繊維の坪量、並びにサブ吸収領域４Ｅに属する領域の吸収ポリマー及びセルロース繊維の坪量の測定方法＞に記載の方法と同様に行い、上層吸収体４２１の吸収ポリマーとセルロース繊維の坪量とする。
【００２６】
吸収体４の含む吸収ポリマーについて、以下具体的に説明する。
吸収ポリマーは、排泄物の吸収保持の観点から、その吸水量が、好ましくは１０ｇ／ｇ以上、更に好ましくは１５ｇ／ｇ以上であり、また、好ましくは５０ｇ／ｇ以下、更に好ましくは３０ｇ／ｇ以下であり、具体的には、１０ｇ／ｇ以上５０ｇ／ｇ以下であることが好ましく、１５ｇ／ｇ以上３０ｇ／ｇ以下であることが更に好ましい。吸収ポリマーの吸水量は、ＪＩＳ  Ｋ  ７２２３に準拠した遠心保持量の測定方法により求めることができる。吸水性ポリマーの遠心保持量は、吸水性ポリマーの吸水量（吸水倍率）に関連する特性であり、一般に、遠心保持量の値が大きい吸水性ポリマーは、吸水量も大きい。
【００２７】
＜遠心保持量（吸水量）の測定方法＞
遠心保持量（吸水量）の測定は、ＪＩＳ  Ｋ  ７２２３（１９９６）に準拠して行う。ナイロン製の織布（メッシュ開き２５５、三力製作所販売、品名：ナイロン網、規格：２５０×メッシュ巾×３０ｍ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。次いで、測定試料である吸収ポリマー１．００ｇを精秤し、作製したナイロン袋の底部に均一になるように入れる。次いで、試料の入ったナイロン袋を、２５℃に調温した生理食塩水（０．９質量％塩化ナトリウム水）に浸漬させる。そして浸漬開始から１時間後にナイロン袋を生理食塩水から取り出し、１時間垂直状態に吊るして水切りした後、遠心脱水器（コクサン（株）製、型式Ｈ−１３０Ｃ特型）を用いて脱水する。脱水条件は、１４３Ｇ（８００ｒｐｍ）で１０分間とする。脱水後、試料の質量を測定し、次式に従って目的とする遠心保持量（吸水量）を算出する。
遠心保持量（ｇ／ｇ）＝（ａ’−ｂ−ｃ）／ｃ
式中、ａ’は遠心脱水後の試料及びナイロン袋の総質量（ｇ）、ｂはナイロン袋の吸水前（乾燥時）の質量（ｇ）、ｃは試料の吸水前（乾燥時）の質量（ｇ）を表す。測定は５回行い（ｎ＝５）、上下各１点の値を削除し、残る３点の平均値を測定値とした。尚、測定は２３±２℃、湿度５０±５％で行い、測定の前に試料を同環境で２４時間以上保存した上で測定する。
【００２８】
また、吸収ポリマーは、加圧時における排泄物の吸収保持の観点から、２．０ｋＰａでの加圧下吸収量が、好ましくは１０ｇ／ｇ以上、更に好ましくは１５ｇ／ｇ以上であり、また、好ましくは５０ｇ／ｇ以下、更に好ましくは３０ｇ／ｇ以下であり、具体的には、１０ｇ／ｇ以上５０ｇ／ｇ以下であることが好ましく、１５ｇ／ｇ以上３０ｇ／ｇ以下であることが更に好ましい。ここで、２．０ｋＰａという荷重は、吸収性物品を着用しているときに吸収体に加わる体圧にほぼ相当する。加圧下吸収量は、吸収性物品の着用により吸収体に圧力が加わっている状態において、吸収ポリマーが最大どのくらいまで吸収できるかを示す尺度となる。
【００２９】
＜加圧下吸収量の測定方法＞
加圧下吸収量は、特開２００３−２３５８８９号公報に記載されている測定方法及び測定装置を利用して測定される。即ち、目開き６３μｍのナイロン網（ＪＩＳ  Ｚ８８０１−１：２０００を底面に貼った円筒プラスチックチューブ（内径３０ｍｍ、高さ６０ｍｍ）を用意する。次いで、試料（吸収ポリマー）０．５０ｇを精秤し、垂直にした円筒プラスチックチューブのナイロン網上に試料がほぼ均一の厚さになるように入れる。次いで、２．０ｋＰａの荷重が試料にかかるように外径２９．５ｍｍ×厚さ２２ｍｍの分銅を円筒プラスチックチューブ内に挿入する。次いで、生理食塩水６０ｍｌの入ったシャーレ（直径：１２０ｍｍ）の中に試料及び分銅の入った円筒プラスチックチューブを、ナイロン網側を下面にして垂直に浸す。そして、浸しながら６０分放置した後に、試料及び分銅の入った円筒プラスチックチューブを取り出し、１５分水切りした後に、試料及び分銅の入った円筒プラスチックチューブを計量し、試料が吸収した生理食塩水の重量を算出する。この吸収した生理食塩水の重量を０．５で除した値を加圧下吸収量（ｇ／ｇ）とする。測定は５回行い（ｎ＝５）、上下各１点の値を削除し、残る３点の平均値を測定値とする。尚、測定は２３±２℃、湿度５０±５％で行い、測定の前に試料を同環境で２４時間以上保存した上で測定する。
【００３０】
また、吸収ポリマーは、加圧時における液の拡散性の観点から、２．０ｋＰａでの加圧下通液速度が、好ましくは５ｍｌ／ｍｉｎ以上、更に好ましくは１０ｍｌ／ｍｉｎ以上であり、また、好ましくは１５０ｍｌ／ｍｉｎ以下、更に好ましくは１２０ｍｌ／ｍｉｎ以下であり、具体的には、５ｍｌ／ｍｉｎ以上１５０ｍｌ／ｍｉｎ以下であることが好ましく、１０ｍｌ／ｍｉｎ以上１２０ｍｌ／ｍｉｎ以下であることが更に好ましい。加圧下通液速度は、一般的に、吸収体中の液の拡散・透過速度の指標として役立つものである。
【００３１】
＜加圧下通液速度の測定方法＞
加圧下通液速度は、特開２００３−２３５８８９号公報に記載されている測定方法及び測定装置を利用して測定される。即ち、１００ｍＬのガラスビーカーに、測定試料である吸収ポリマー０．３２±０．００５ｇを膨潤するに十分な量の生理食塩水（０．９質量％塩化ナトリウム水）、例えば吸収ポリマーの飽和吸収量の５倍以上の生理食塩水に浸して３０分間放置する。別途、垂直に立てた円筒（内径２５．４ｍｍ）の開口部の下端に、金網（目開き１５０μｍ、株式会社三商販売のバイオカラム焼結ステンレスフィルター３０ＳＵＳ）と、コック（内径２ｍｍ）付き細管（内径４ｍｍ、長さ８ｃｍ）とが備えられた濾過円筒管を用意し、コックを閉鎖した状態で該円筒管内に、膨潤した測定試料を含む前記ビーカーの内容物全てを投入する。次いで、目開きが１５０μｍで直径が２５ｍｍである金網を先端に備えた直径２ｍｍの円柱棒を濾過円筒管内に挿入して、該金網と測定試料とが接するようにし、更に測定試料に２．０ｋＰａの荷重が加わるようにおもりを載せる。この状態で１分間放置した後、コックを開いて液を流し、濾過円筒管内の液面が６０ｍＬの目盛り線から４０ｍＬの目盛り線に達する（つまり２０ｍＬの液が通過する）までの時間（Ｔ1）（秒）を計測する。計測された時間Ｔ1（秒）を用い、次式から２．０ｋＰａでの加圧下通液速度を算出する。尚、式中、Ｔ0（秒）は、濾過円筒管内に測定試料を入れないで、生理食塩水２０ｍｌが金網を通過するのに要する時間を計測した値である。
加圧下通液速度（ｍｌ／ｍｉｎ）＝２０×６０／（Ｔ1−Ｔ0）
測定は５回行い（ｎ＝５）、上下各１点の値を削除し、残る３点の平均値を測定値とする。尚、測定は２３±２℃、湿度５０±５％で行い、測定の前に試料を同環境で２４時間以上保存した上で測定する。加圧下通液速度の更に詳細な測定方法は、特開２００３−２３５８８９号公報の段落〔０００８〕及び段落〔０００９〕に記載されており、また測定装置は、同公報の図１及び図２に記載されている。
【００３２】
また、吸収ポリマーは、尿をすばやく吸収保持する観点から、ＤＷ法に従い測定された吸収速度が、好ましくは１０ｍｌ／（ｇ・１０分）以上、更に好ましくは２０ｍｌ／（ｇ・１０分）以上であり、また、好ましくは１００ｍｌ／（ｇ・１０分）以下、更に好ましくは７０ｍｌ／（ｇ・１０分）以下であり、具体的には、１０ｍｌ／（ｇ・１０分）以上１００ｍｌ／（ｇ・１０分）以下であることが好ましく、２０ｍｌ／（ｇ・１０分）以上７０ｍｌ／（ｇ・１０分）以下であることが更に好ましい。ＤＷ法による吸収速度は、吸収ポリマーが体液を吸い上げて吸収する挙動、あるいは隣り合う吸収ポリマーの粒子の間隙に体液を取り込む挙動を表現するもので、製造時及び体液吸収後の吸収体の保形性、特に体液吸収後の吸収体の保形性の指標として役立つものである。
【００３３】
また、吸収ポリマーは、尿をすばやく吸収保持する観点から、ＤＷ法に従い測定された吸収速度が、好ましくは３ｍｌ／（ｇ・１分）以上、更に好ましくは５ｍｌ／（ｇ・１分）以上であり、また、好ましくは３０ｍｌ／（ｇ・１分）以下、更に好ましくは２０ｍｌ／（ｇ・１分）以下であり、具体的には、３ｍｌ／（ｇ・１分）以上３０ｍｌ／（ｇ・１分）以下であることが好ましく、５ｍｌ／（ｇ・１分）以上２０ｍｌ／（ｇ・１分）以下であることが更に好ましい。
【００３４】
＜ＤＷ法による吸収速度の測定方法＞
ＤＷ法による吸収速度は、Ｄｅｍａｎｄ  Ｗｅｔｔａｂｉｌｉｔｙ  Ｔｅｓｔｅｒ装置を用いて測定される。具体的には、該装置において生理食塩水の液面を、ポリマー散布台〔７０ｍｍφ、Ｎｏ，２濾紙をガラスフィルターＮｏ，１上に置いた台〕の表面と等水位にセットし、該ポリマー散布台の表面上に測定対象の吸収ポリマーを０．３ｇ散布する。吸収ポリマーを散布した時点の吸水量を０とし、１分経過後及び１０分経過後それぞれの吸水量を測定する。この吸水量は、生理食塩水の水位の低下量を示すビュレットの目盛りで測定される。得られた吸水量の値をＤＷ法による吸収速度とする。測定は５回行い（ｎ＝５）、上下各１点の値を削除し、残る３点の平均値を測定値とする。尚、測定は２３±２℃、湿度５０±５％で行い、測定の前に試料を同環境で２４時間以上保存した上で測定する。
【００３５】
上述した吸収ポリマーは、自重の２０倍以上の液を吸収・保持できかつゲル化しうるものが好ましい。好ましくはその平均粒子径が、１０μｍ以上１０００μｍ以下、より好ましくは１００μｍ以上８００μｍ以下の粒子状のものである。粒子の形状には、特に制限はなく、例えば球状、塊状、ぶどう状、俵状などの種々の形状を採用することができる。
【００３６】
上述した特徴を有する吸収ポリマーは、一例として、以下のモノマーから選ばれる１種類以上を重合して得ることができる。また、必要に応じて架橋処理が施される。重合方法は、特に限定されるものではなく、逆相懸濁重合法や水溶液重合法などの一般的に知られた吸収ポリマーの種々の方法を採用することができる。その後、この重合体に対して必要に応じて粉砕、分級などの操作を行い、また、必要に応じて表面処理を行う。
【００３７】
吸収ポリマーを製造する際に用いられるモノマーは、水溶性で、重合性の不飽和基を有するモノマーである。具体的には、オレフィン系不飽和カルボン酸またはその塩、オレフィン系不飽和カルボン酸エステル、オレフィン系不飽和スルホン酸またはその塩、オレフィン系不飽和リン酸またはその塩、オレフィン系不飽和リン酸エステル、オレフィン系不飽和アミン、オレフィン系不飽和アンモニウム塩、オレフィン系不飽和アミドなどの重合性不飽和基を有するビニルモノマーが挙げられる。
【００３８】
吸収体４の含むセルロース繊維について、以下具体的に説明する。
セルロース繊維としては、コットン、パルプ繊維、レーヨン繊維等が挙げられる。上層吸収体４２１のセルロース繊維と下層吸収性コア４１１のセルロース繊維とは、同一の種類のものであってもよく、異なる種類のものであってもよい。上層吸収体４２１のセルロース繊維は、セルロース繊維の中でも特に、液戻り性を向上させる観点から、架橋されたセルロース繊維であることが好ましい。架橋されたセルロース繊維としては、特表２０１０−５２６６３２号公報に記載の変性（セルロース）繊維、例えば、化学的に剛化された、撚り合わされた及び／又はカールされた（カーリー）（セルロース）繊維；化学的に剛化された、撚り合わされた及び／又はカールされた架橋セルロース又は合成ポリマー繊維等が挙げられ、これらの１種を単独で又は２種以上を混合して用いることができる。市販品を用いることもできる。そのような市販品としては、例えばFederal Paper Board Co.製の「ALBACEL」（商品名）、PT Inti Indorayon Utara製の「INDORAYON」（商品名）、ITT Rayonier Inc.製の「FILTRANIER」（商品名）及び同社製の「POROSANIER」（商品名）等が挙げられる。
【００３９】
下層吸収体４１を構成する被覆材４１２は、その液透過性が、拡散性を更に向上させる観点から、上層吸収体４２の液透過性よりも低いことが好ましい。液透過性は、以下の方法により測定できる液透過時間をもって評価する。以下の方法により測定できる液透過時間について、被覆材４１２の液透過時間は、上層吸収体４２の液透過時間に比べて、５秒以上遅いことが好ましく、８秒以上遅いことが更に好ましい。
【００４０】
＜液透過時間の測定方法＞
図７に示すように、上下端が開口している内径３５ｍｍの２本の円筒９１，９２を、両円筒９１，９２の軸を一致させて上下に配し、直径５５ｍｍの金属製メッシュ網、４０ｍｍ四方のカットサンプル片、およびその上側にアドバンテック社製１０１直径５５ｍｍのろ紙１枚をセットし、上下の円筒９１，９２間に挟み込む。このとき、上側の円筒９１の下端及び下側の円筒９２の上端に設けられた環状のフランジ部にクリップ９３を嵌合させ、上下の円筒９１，９２を連結させることが好ましい。符号９４は、円筒９１，９２の内径と同径同形状の貫通孔を有するゴム製等のパッキンである。このように、上下の円筒９１，９２でカットサンプル片を挟持固定した状態で、上側の円筒９１内に、図○中符合Ｗで示す人工尿を４０ｇ供給する。供給された人工尿は、カットサンプル片を透過し、下側の円筒９２内を通って該円筒９２の下端から流れ落ちる。この下側の円筒９２から流れ落ちる人工尿の重量の経時変化を、電子天秤等の重量測定手段を用いて観察し、人工尿の供給開始時から該質量が２０ｇになるまでの時間を測定し、その時間を液透過時間とする。複数回の測定においては、カットサンプル片はその都度新しいものを用意する。測定は３回行い、平均値を測定値とする。
【００４１】
液透過時間の測定で使用する人工尿の組成は次の通りである。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００４２】
上述したように、吸収性本体１０には、裏面シート３と吸収体４との間に、色の変化により排泄を知らせるインジケーター６の塗工されたインジケーター塗工領域６０が縦方向に配されている。そして、図２に示すように、おむつ１Ａを平面視して、インジケーター６の塗工されたインジケーター塗工領域６０は、吸収体４のメイン吸収領域４Ｍに配されており、インジケーター塗工領域６０の縦方向（Ｙ方向）の背側部Ｂ側の端部６０ｂが、メイン吸収領域４Ｍの縦方向（Ｙ方向）の背側部Ｂ側の端部４Ｍｂ近傍に配されている。ここで、インジケーター塗工領域６０とは、インジケーター６の塗工された部分を平面視して該部分全体を囲む領域を意味している。また、インジケーター塗工領域６０の背側部Ｂ側の端部６０ｂが、メイン吸収領域４Ｍの背側部Ｂ側の端部４Ｍｂ近傍に配されているとは、インジケーター塗工領域６０の端部６０ｂが、メイン吸収領域４Ｍの端部４Ｍｂの位置と一致して配されているのみならず、インジケーター塗工領域６０の縦方向の背側部Ｂ側の端部６０ｂが、メイン吸収領域４Ｍの縦方向（Ｙ方向）の背側部Ｂ側の端部４Ｍｂの端縁（おむつ１Ａにおいては上層吸収体４２の縦方向（Ｙ方向）の背側部Ｂ側の端部の端縁）を基準に、メイン吸収領域４Ｍの縦方向（Ｙ方向）の長さ（おむつ１Ａにおいては上層吸収体４２の縦方向（Ｙ方向）の長さ）の約１割の範囲内に位置していれば良いことを意味する。例えば、おむつ１Ａにおいて、上層吸収体４２の縦方向（Ｙ方向）の長さが１００ｍｍである場合には、インジケーター塗工領域６０の端部６０ｂが、上層吸収体４２の背側部Ｂ側の端部の端縁を基準に±１０ｍｍの範囲内に配されていれば良いことを意味する。
【００４３】
また、おむつ１Ａにおいては、インジケーター塗工領域６０の縦方向（Ｙ方向）の腹側部Ａ側の端部６０ａが、メイン吸収領域４Ｍの縦方向（Ｙ方向）の腹側部Ａ側の端部４Ｍａ近傍に配されている。ここで、インジケーター塗工領域６０の腹側部Ａ側の端部６０ａが、メイン吸収領域４Ｍの腹側部Ａ側の端部４Ｍａ近傍に配されているとは、インジケーター塗工領域６０の端部６０ａが、メイン吸収領域４Ｍの端部４Ｍａの位置と一致して配されているのみならず、インジケーター塗工領域６０の縦方向の腹側部Ａ側の端部６０ａが、メイン吸収領域４Ｍの縦方向（Ｙ方向）の腹側部Ａ側の端部４Ｍａの端縁（おむつ１Ａにおいては上層吸収体４２の縦方向（Ｙ方向）の腹側部Ａ側の端部の端縁）を基準に、メイン吸収領域４Ｍの縦方向（Ｙ方向）の長さ（おむつ１Ａにおいては上層吸収体４２の縦方向（Ｙ方向）の長さ）の約１割の範囲内に位置していれば良いことを意味する。
【００４４】
おむつ１Ａについて、更に詳述すると、図１に示すように、縦方向（Ｙ方向）に延びる中心線ＣＬの位置に沿って１本のインジケーター６の線６１が上層吸収体４２の縦方向（Ｙ方向）の前後端縁に亘って配されており、該１本のインジケーター６の線６１と上層吸収体４２の縦方向（Ｙ方向）に沿う両側部の両側縁それぞれとの間に、縦方向（Ｙ方向）に中心線ＣＬに平行に延びる２本のインジケーター６の線６２，６２が上層吸収体４２の縦方向（Ｙ方向）の前後端縁に亘って配されている。従って、おむつ１Ａにおいては、図３に示すように、１本のインジケーター６の線６１及び２本のインジケーター６の線６２，６２を囲むインジケーター塗工領域６０が、上層吸収体４２の縦方向（Ｙ方向）の前後端縁に亘って配されており、インジケーター塗工領域６０の縦方向（Ｙ方向）の背側部Ｂ側の端部６０ｂが、メイン吸収領域４Ｍの縦方向（Ｙ方向）の背側部Ｂ側の端部４Ｍｂの位置と一致して配されている。そして、おむつ１Ａにおいては、図３に示すように、インジケーター塗工領域６０の縦方向（Ｙ方向）の腹側部Ａ側の端部６０ａが、メイン吸収領域４Ｍの縦方向（Ｙ方向）の腹側部Ａ側の端部４Ｍａの位置と一致して配されている。
【００４５】
更に、おむつ１Ａを横方向（Ｘ方向）に断面視して、インジケーター塗工領域６０の縦方向（Ｙ方向）に沿う側部６０ｓは、排尿の程度を精度良く認識できる観点からメイン吸収領域４Ｍの縦方向（Ｙ方向）に沿う側部４Ｍｓ近傍に配されていることが好ましい。尚、図２に示すおむつ１Ａにおいては、インジケーター塗工領域６０の側部６０ｓはメイン吸収領域４Ｍの側部４Ｍｓ近傍に配されていない。インジケーター塗工領域６０の縦方向（Ｙ方向）に沿う側部６０ｓが、メイン吸収領域４Ｍの縦方向（Ｙ方向）に沿う側部４Ｍｓ近傍に配されているとは、インジケーター塗工領域６０の側部６０ｓが、メイン吸収領域４Ｍの側部４Ｍｓの位置と一致して配されているのみならず、インジケーター塗工領域６０の側部６０ｓが、メイン吸収領域４Ｍの縦方向（Ｙ方向）に沿う側部４Ｍｓの側縁（おむつ１Ａにおいては上層吸収体４２の縦方向（Ｙ方向）に沿う側部の側縁）を基準に、メイン吸収領域４Ｍの横方向（Ｘ方向）の長さ（おむつ１Ａにおいては上層吸収体４２の横方向（Ｘ方向）の長さ）の約１割の範囲内に位置していれば良いことを意味する。例えば、おむつ１Ａにおいて、上層吸収体４２の横方向（Ｘ方向）の長さが４０ｍｍである場合には、インジケーター塗工領域６０の側部６０ｓが、上層吸収体４２の側部の側縁を基準に±４ｍｍの範囲内に配されていれば良いことを意味する。
【００４６】
インジケーター塗工領域６０は、図１に示すインジケーター塗工領域６０以外に、例えば図４（ａ）〜図４（ｅ）に示すように配されていても良い。図４（ａ）〜図４（ｅ）には、吸収性物品を平面視したとき、インジケーター塗工領域６０が、縦方向（Ｙ方向）においては上層吸収体４２の前後端近傍に達し、横方向（Ｘ方向）においては少なくとも該塗工領域６０の一部が上層吸収体４２の両側部６０ｓ，６０ｓまで塗工されているものを例示してある。以下、図４（ａ）〜図４（ｅ）について、具体的に説明する。
図４（ａ）には、インジケーター６が縦方向（Ｙ方向）に間隔を空けて塗工されて１本の縦方向（Ｙ方向）に延びるインジケーター６の群を形成しており、このインジケーター６の群を囲むインジケーター塗工領域６０が示されている。また、図４（ｂ）には、インジケーター６が縦方向（Ｙ方向）に連続して塗工されて１本の線を形成しており、この１本のインジケーター６の線を囲むインジケーター塗工領域６０が示されている。図４（ａ）及び（ｂ）に示すインジケーター塗工領域６０は、上層吸収体４２の縦方向（Ｙ方向）の前後端縁に亘って配されており、インジケーター塗工領域６０の縦方向（Ｙ方向）の背側部Ｂ側の端部６０ｂが、メイン吸収領域４Ｍの縦方向（Ｙ方向）の背側部Ｂ側の端部４Ｍｂの位置と一致して配されている。そして、インジケーター塗工領域６０の縦方向（Ｙ方向）の腹側部Ａ側の端部６０ａが、メイン吸収領域４Ｍの縦方向（Ｙ方向）の腹側部Ａ側の端部４Ｍａの位置と一致して配されている。
【００４７】
また、図４（ｃ）には、円形状のインジケーター６が縦方向（Ｙ方向）に左右交互に間隔を空けて塗工されて縦方向（Ｙ方向）に延びるインジケーター６の群を形成しており、このインジケーター６の群を囲むインジケーター塗工領域６０が示されている。図４（ｃ）に示すインジケーター塗工領域６０は、左側の円形状のインジケーター６の最も左側の位置と上層吸収体４２の縦方向（Ｙ方向）に沿う左側部の側縁の位置とが一致し、右側の円形状のインジケーター６の最も右側の位置と上層吸収体４２の縦方向（Ｙ方向）に沿う右側部の側縁の位置とが一致している。更に、最も背側部Ｂ側の円形状のインジケーター６の最もＹ方向の先端の位置と上層吸収体４２の縦方向（Ｙ方向）の背側部Ｂ側の端部の端縁の位置とが一致し、最も腹側部Ａ側の円形状のインジケーター６の最もＹ方向の下端の位置と上層吸収体４２の縦方向（Ｙ方向）の腹側部Ａ側の端部の端縁の位置とが一致している。その為、図４（ｃ）に示すインジケーター塗工領域６０は、上層吸収体４２の輪郭と一致しており、吸収体４のメイン吸収領域４Ｍに一致するものである。このように、図４（ｃ）に示すインジケーター塗工領域６０は、その背側部Ｂ側の端部６０ｂがメイン吸収領域４Ｍの背側部Ｂ側の端部４Ｍｂの位置と一致して配され、その腹側部Ａ側の端部６０ａがメイン吸収領域４Ｍの腹側部Ａ側の端部４Ｍａの位置と一致して配されている。そして、図４（ｃ）に示すインジケーター塗工領域６０は、その両側部６０ｓ，６０ｓがメイン吸収領域４Ｍの両側部４Ｍｓ，４Ｍｓの位置と一致して配されている。
【００４８】
また、図４（ｄ）には、上層吸収体４２の対角線の位置に２本の線からなるインジケーター６が配されており、この２本のインジケーター６を囲むインジケーター塗工領域６０が示されている。図４（ｄ）に示すインジケーター塗工領域６０は、前述の通り、上層吸収体４２の対角線の位置に２本のインジケーター６の線が配されて形成されているので、図４（ｄ）に示すインジケーター塗工領域６０は、上層吸収体４２の輪郭と一致しており、吸収体４のメイン吸収領域４Ｍに一致するものである。このように、図４（ｄ）に示すインジケーター塗工領域６０は、その背側部Ｂ側の端部６０ｂがメイン吸収領域４Ｍの背側部Ｂ側の端部４Ｍｂの位置と一致して配され、その腹側部Ａ側の端部６０ａがメイン吸収領域４Ｍの腹側部Ａ側の端部４Ｍａの位置と一致して配されている。そして、図４（ｄ）に示すインジケーター塗工領域６０は、その両側部６０ｓ，６０ｓがメイン吸収領域４Ｍの両側部４Ｍｓ，４Ｍｓの位置と一致して配されている。
【００４９】
また、図４（ｅ）には、上層吸収体４２の縦方向（Ｙ方向）に沿う両側部の両側縁の位置と、上層吸収体４２の縦方向（Ｙ方向）に延びる中心線ＣＬの位置とに沿って、縦方向（Ｙ方向）に延びる３本のインジケーター６の線が配されており、この３本のインジケーター６の線を囲むインジケーター塗工領域６０が示されている。図４（ｅ）に示すインジケーター塗工領域６０は、左側のインジケーター６の線の位置と上層吸収体４２の縦方向（Ｙ方向）に沿う左側部の側縁の位置とが一致し、右側のインジケーター６の線の位置と上層吸収体４２の縦方向（Ｙ方向）に沿う右側部の側縁の位置とが一致している。更に、３本のインジケーター６の線は、最も背側部Ｂ側のＹ方向の先端の位置と上層吸収体４２の縦方向（Ｙ方向）の背側部Ｂ側の端部の端縁の位置とが一致し、最も腹側部Ａ側のＹ方向の下端の位置と上層吸収体４２の縦方向（Ｙ方向）の腹側部Ａ側の端部の端縁の位置とが一致している。その為、図４（ｅ）に示すインジケーター塗工領域６０は、上層吸収体４２の輪郭と一致しており、吸収体４のメイン吸収領域４Ｍに一致するものである。このように、図４（ｅ）に示すインジケーター塗工領域６０は、その背側部Ｂ側の端部６０ｂがメイン吸収領域４Ｍの背側部Ｂ側の端部４Ｍｂの位置と一致して配され、その腹側部Ａ側の端部６０ａがメイン吸収領域４Ｍの腹側部Ａ側の端部４Ｍａの位置と一致して配されている。そして、図４（ｅ）に示すインジケーター塗工領域６０は、その両側部６０ｓ，６０ｓがメイン吸収領域４Ｍの両側部４Ｍｓ，４Ｍｓの位置と一致して配されている。
【００５０】
本実施形態のおむつ１Ａの形成材料について説明する。
表面シート２及び裏面シート３としては、それぞれ、通常、使い捨ておむつ等の吸収性物品に用いられるものであれば、特に制限なく用いることができる。例えば、表面シート２としては、親水性且つ液透過性の不織布等を用いることができ、裏面シート３としては、液不透過性又は撥水性の樹脂フィルム、該樹脂フィルムと不織布の積層体等を用いることができる。下層吸収体４１を構成する被覆材４１２としては、親水性シート、例えば、透水性の薄紙（ティッシュペーパー）や透水性の不織布からなるコアラップシート等を用いることができる。立体ギャザーやレッグギャザーを形成するサイドシート５としては、それぞれ、通常、使い捨ておむつ等の吸収性物品に用いられるものであれば、特に制限なく用いることができ、伸縮性のフィルム、不織布、織物またはそれらの積層シート等を用いることができる。
【００５１】
立体ギャザー形成用の弾性部材５１、レッグギャザー形成用の弾性部材５２としては、通常、使い捨ておむつ等の吸収性物品に用いられるものであれば、特に制限なく用いることができる。例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００５２】
インジケーター６としては、通常、使い捨ておむつ等の吸収性物品に用いられるものであれば、特に制限なく用いることができる。例えば、裏面シート３とは別のフィルム若しくは不織布等のシート材、又は裏面シート３に直接、排泄物と接触することにより発色、変色又は消色する色材を塗布したものを用いることができる。例えば、色材としては、ｐＨ指示薬と酸化化合物の混合物等を用いることができる。
【００５３】
伸縮パネル７ｂとしては、例えば、（１）弾性繊維層の両面又は片面に伸長可能な繊維層が一体化されているシート、（２）ネット状の弾性シートの両面又は片面に伸長可能な繊維層が一体化されているシート、（３）弾性フィルムからなる弾性シートの両面又は片面に伸長可能な繊維層が一体化されているシートを用いることができる。パネル材６ａは、通常、使い捨ておむつ等の吸収性物品に用いられるものであれば、特に制限なく用いることができる、例えば、液不透過性の不織布等を用いることができる。ファスニングテープ７２は、通常、使い捨ておむつ等の吸収性物品に用いられるものであれば、特に制限なく用いることができる。例えば、ファスニングテープ７２の止着部７１としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。
【００５４】
表面シート２、裏面シート３、サイドシート５、ファスニングテープ７２等の固定には、通常、使い捨ておむつ等の吸収性物品に用いられるホットメルト型接着剤やヒートエンボス、超音波エンボス、高周波エンボス等の融着手段が用いられる。
【００５５】
上述した本発明の実施形態の使い捨ておむつ１Ａを使用した際の作用効果について説明する。
おむつ１Ａは、図１及び図２に示すように、腹側部Ａから背側部Ｂに亘る下層吸収体４１と下層吸収体４１の肌対向面上に配された腹側部Ａから股下部Ｃにのみ亘る上層吸収体４２とからなる吸収体４を備え、上層吸収体４２は、その吸収ポリマーの坪量が下層吸収体４１の吸収ポリマーの坪量よりも小さい。その為、上層吸収体４２においては、尿が拡散し易い構造となっている。そして、下層吸収体４１は、上層吸収体４２と下層吸収体４１とが重なるメイン吸収領域４Ｍに属する領域の吸収ポリマーの坪量が、メイン吸収領域４Ｍ以外のサブ吸収領域４Ｅに属する領域の吸収ポリマーの坪量よりも大きいので、上層吸収体４２から移行した尿が主にメイン吸収領域４Ｍで保持され易くなっている。また、図３に示すように、おむつ１を縦方向（Ｙ方向）に断面視して、インジケーター塗工領域６０はメイン吸収領域４Ｍに配されており、インジケーター塗工領域６０の背側部Ｂ側の端部６０ｂが、メイン吸収領域４Ｍの背側部Ｂ側の端部４Ｍｂ近傍に配されている。その為、主にメイン吸収領域４Ｍで保持された尿により、インジケーター塗工領域６０のインジケーター６が正確に変色し易く、おむつ１Ａの取り替え時期の正確性が向上する。このように、おむつ１Ａは、取り替え時期の正確性が向上するので、おむつ１Ａによれば、股下部Ｃ部分から尿が漏れ出し難い。
【００５６】
また、おむつ１Ａにおいては、図３に示すように、インジケーター塗工領域６０の縦方向（Ｙ方向）の腹側部Ａ側の端部６０ａが、メイン吸収領域４Ｍの縦方向（Ｙ方向）の腹側部Ａ側の端部４Ｍａ近傍に配されている。その為、メイン吸収領域４Ｍの端部まで尿を吸収したことが一目で確認できるので取替え時期の正確性がさらに向上する。
【００５７】
特に、おむつ１Ａにおいては、インジケーター塗工領域６０は、図３に示すように、その背側部Ｂ側の端部６０ｂがメイン吸収領域４Ｍの背側部Ｂ側の端部４Ｍｂの位置と一致して配され、その腹側部Ａ側の端部６０ａがメイン吸収領域４Ｍの腹側部Ａ側の端部４Ｍａの位置と一致して配されている。その為、主にメイン吸収領域４Ｍで保持された尿により、インジケーター塗工領域６０のインジケーター６が更に正確に変色し易く、おむつ１Ａの取り替え時期の正確性が更に向上する。
【００５８】
次に、本発明の第２実施形態であるパンツ型使い捨ておむつ１Ｂ（以下、「おむつ１Ｂ」とも言う。）について、図５及び図６に基づいて説明する。
第２実施形態のおむつ１Ｂについては、第１実施形態のおむつ１Ａと異なる点について説明する。特に説明しない点は、おむつ１Ａと同様であり、おむつ１Ａの説明が適宜適用される。
【００５９】
おむつ１Ｂは、図５及び図６に示すように、吸収体４と表面シート２との間に、上層吸収体４２よりも圧縮され難い（圧縮仕事量の低い）親水性のサブレイヤーシート８が配されている。おむつ１Ｂの有するサブレイヤーシート８は、平面視して矩形状であり、図５に示すように、横方向（Ｘ方向）の長さが上層吸収体４２の横方向（Ｘ方向）の長さと同じであり、縦方向（Ｙ方向）の長さが上層吸収体４２の縦方向（Ｙ方向）の長さと同じに形成されている。即ち、おむつ１Ｂのサブレイヤー４２は、図６に示すように、吸収体４４の上層吸収体４２の肌対向面上に配設固定され、腹側部Ａから股下部Ｃにのみ亘って配されており、背側部Ｂには配されていない。
【００６０】
サブレイヤーシート８は、その坪量が１０ｇ／ｍ2以上１００ｇ／ｍ2以下であることが好ましい。サブレイヤーシート８としては、親水性繊維を主体とするシート（親水性繊維の含有量が好ましくは９０質量％以上のシート）を用いることができ、該シートとしては、例えば、紙、不織布、ウエブ等が挙げられ、特にエアスルーやレジンボンドなどの不織布が好ましい。親水性繊維としては、親水性表面を有する繊維であって、その湿潤状態において、繊維どうしが互いに高い自由度を有するシートを形成できるものであれば、特に制限なく用いることができ、例えば、親水化したポリエチレンやポリプロピレンやポリエチレンテレフタレート、またはこれらの複合繊維を用いることが出来る。尚、サブレイヤーシート８は、親水性繊維に加えて、他の成分、例えば吸水性ポリマー、消臭剤等を含有していても良い。
【００６１】
サブレイヤーシート８は、その圧縮仕事量が、好ましくは５０ｇ・ｃｍ／ｃｍ2以上、更に好ましくは１００ｇ・ｃｍ／ｃｍ2以上であり、また、好ましくは５００ｇ・ｃｍ／ｃｍ2以下、更に好ましくは４００ｇ・ｃｍ／ｃｍ2以下であり、具体的には、５０ｇ・ｃｍ／ｃｍ2以上５００ｇ・ｃｍ／ｃｍ2以下であることが好ましく、１００ｇ・ｃｍ／ｃｍ2以上４００ｇ・ｃｍ／ｃｍ2以下であることが更に好ましい。下層吸収体４１は、その圧縮仕事量が、好ましくは２００ｇ・ｃｍ／ｃｍ2以上、更に好ましくは３００ｇ・ｃｍ／ｃｍ2以上であり、また、好ましくは１２００ｇ・ｃｍ／ｃｍ2以下、更に好ましくは９００ｇ・ｃｍ／ｃｍ2以下であり、具体的には、２００ｇ・ｃｍ／ｃｍ2以上１２００ｇ・ｃｍ／ｃｍ2以下であることが好ましく、３００ｇ・ｃｍ／ｃｍ2以上９００ｇ・ｃｍ／ｃｍ2以下であることが更に好ましい。上層吸収体４２は、その圧縮仕事量が、好ましくは３００ｇ・ｃｍ／ｃｍ2以上、更に好ましくは４００ｇ・ｃｍ／ｃｍ2以上であり、また、好ましくは１２００ｇ・ｃｍ／ｃｍ2以下、更に好ましくは８００ｇ・ｃｍ／ｃｍ2以下であり、具体的には、３００ｇ・ｃｍ／ｃｍ2以上１２００ｇ・ｃｍ／ｃｍ2以下であることが好ましく、４００ｇ・ｃｍ／ｃｍ2以上８００ｇ・ｃｍ／ｃｍ2以下であることが更に好ましい。特に、サブレイヤーシート８の圧縮仕事量は、上層吸収体４２の圧縮仕事量に比べて、加圧時の拡散性を向上させる観点から、５０ｇ・ｃｍ／ｃｍ2以上高いことが好ましく、１００ｇ・ｃｍ／ｃｍ2以上高いことが更に好ましい。圧縮仕事量は、以下の方法により測定する。圧縮仕事量の値が高いほど圧縮され易く（潰れ易い）、値が低いほど圧縮され難い（潰れ難い）。
【００６２】
＜圧縮仕事量の測定方法＞
圧縮仕事量の測定は（株）カトーテック社製のＫＥＳ−ＦＢ３−ＡＵＴＯ−Ａの圧縮試験機を用いて、サンプルの圧縮仕事量：ＷＣ値（単位：ｇ・ｃｍ／ｃ2）を測定することで求められる。測定条件は、圧縮変形速度：０．１０ｍｍ／ｓｅｃ、圧縮最大荷重条件：５０ｇｆ／ｃｍ2で行う。測定対象物がセルロース繊維やポリマーの積繊物であり、それらが被覆材などにより被覆されておらず測定が困難な形態である場合は、坪量が１０ｇ／ｍ2〜３０ｇ／ｍ2のスパンボンド不織布で被覆してサンプル片としてもよい。サンプル片の異なる点を３回測定し、その平均値を圧縮仕事量（ｇ・ｃｍ／ｃｍ2）とする。
【００６３】
上述した本発明の第２実施形態のおむつ１Ｂを使用した際の作用効果について説明する。
第２実施形態のおむつ１Ｂの効果については、第１実施形態のおむつ１Ａの効果と異なる点について説明する。特に説明しない点は、おむつ１Ａの効果と同様であり、おむつ１Ａの効果の説明が適宜適用される。
【００６４】
おむつ１Ｂは、図５及び図６に示すように、吸収体４と表面シート２との間に、上層吸収体４２よりも圧縮仕事量の小さいつまり、圧縮され難い（圧縮仕事量の低い）親水性のサブレイヤーシート８が配されている。その為、尿吸収能を補強し、吸収された尿が表面シート２側に戻る現象（ウエットバック）を低減できる。特に、おむつ１Ｂにおいては、図５及び図６に示すように、サブレイヤー４２が、腹側部Ａから股下部Ｃにのみ亘って配されているので、主にメイン吸収領域４Ｍで保持される尿の尿吸収能を補強できるが、背側部Ｂに配されていないので、インジケーター塗工領域６０のインジケーター６の変色に影響を与え難くなっている。
【００６５】
本発明の吸収性物品は、上述の第１実施形態のおむつ１Ａ、上述の第２実施形態のおむつ１Ｂに何ら制限されるものではなく、適宜変更可能である。また、上述の第１〜第２実施形態のおむつ１Ａ〜１Ｂにおける各構成要件は、本発明の趣旨を損なわない範囲で、適宜組み合わせて実施できる。
【００６６】
例えば、本発明の吸収性物品は、上述のおむつ１Ａ，１Ｂのような展開型の使い捨ておむつ以外に、パンツ型の使い捨ておむつであってもよく、使い捨ておむつ以外の、例えば生理用ナプキン、尿とりパッド等であってもよい。
【００６７】
上述した実施形態に関し、さらに以下の吸収性物品を開示する。
【００６８】
＜１＞
肌対向面側に配された表面シートと、非肌対向面側に配された裏面シートと、これら両シート間に配された吸収体とを備え、腹側部、背側部及び股下部に区分された縦長の吸収性本体を有し、該吸収性本体には、該裏面シートと該吸収体との間に、色の変化により排泄を知らせるインジケーターの塗工されたインジケーター塗工領域が縦方向に配されている吸収性物品であって、
前記吸収体は、前記腹側部から前記背側部に亘る下層吸収体と、該下層吸収体の肌対向面上に配された前記腹側部から前記股下部に亘る上層吸収体とからなり、前記吸収体を平面視して、該上層吸収体と該下層吸収体とが重なるメイン吸収領域と、該メイン吸収領域以外のサブ吸収領域とに区分されており、
前記吸収体は、吸収ポリマー及びセルロース繊維を含み、
前記下層吸収体は、前記メイン吸収領域に属する領域の前記吸収ポリマーの坪量が前記サブ吸収領域に属する領域の前記吸収ポリマーの坪量よりも大きく、
前記上層吸収体は、その前記吸収ポリマーの坪量が前記下層吸収体の前記吸収ポリマーの坪量よりも小さく、又は前記吸収ポリマーを含まず、
前記吸収性物品を平面視して、前記インジケーター塗工領域は前記メイン吸収領域に配されており、該インジケーター塗工領域の縦方向の背側部側の端部が、該メイン吸収領域の縦方向の背側部側の端部近傍に配されている吸収性物品。
【００６９】
＜２＞
前記インジケーター塗工領域の縦方向の腹側部側の端部が、前記メイン吸収領域の縦方向の腹側部側の端部近傍に配されている前記＜１＞に記載の吸収性物品。
＜３＞
前記インジケーター塗工領域の縦方向の背側部側の端部が、前記メイン吸収領域の縦方向の背側部側の端部の端縁を基準に、該メイン吸収領域の縦方向の長さの約１割の範囲内に位置している前記＜１＞又は＜２＞に記載の吸収性物品。
＜４＞
前記インジケーター塗工領域の縦方向の腹側部側の端部が、前記メイン吸収領域の縦方向の腹側部側の端部の端縁を基準に、該メイン吸収領域の縦方向の長さの約１割の範囲内に位置している前記＜１＞〜＜３＞の何れか１に記載の吸収性物品。
＜５＞
前記インジケーター塗工領域における、縦方向に延びる中心線の位置に沿って１本のインジケーターの線が前記上層吸収体の縦方向の前後端縁に亘って配されており、１本の該インジケーターの線と該上層吸収体の縦方向に沿う両側部の両側縁それぞれとの間に、縦方向に該中心線に平行に延びる２本のインジケーターの線が該上層吸収体の縦方向の前後端縁に亘って配されている前記＜１＞〜＜４＞の何れか１に記載の吸収性物品。
＜６＞
前記インジケーター塗工領域は、前記上層吸収体の縦方向の前後端縁に亘って配されており、該インジケーター塗工領域の縦方向の背側部側の端部が、該メイン吸収領域の縦方向の背側部側の端部の位置と一致して配されており、該インジケーター塗工領域の縦方向の腹側部側の端部が、該メイン吸収領域の縦方向の腹側部側の端部の位置と一致して配されている前記＜１＞〜＜５＞の何れか１に記載の吸収性物品。
＜７＞
前記上層吸収体のセルロース繊維は、架橋されたセルロース繊維である前記＜１＞〜＜６＞の何れか１に記載の吸収性物品。
＜８＞
前記吸収体と前記表面シートとの間に、前記上層吸収体よりも圧縮仕事量の低い（圧縮されにくい）親水性のサブレイヤーシートが配されている前記＜１＞〜＜７＞の何れか１に記載の吸収性物品。
＜９＞
前記サブレイヤーシートは、平面視して矩形状であり、前記吸収体の前記上層吸収体の肌対向面上に配設固定され、腹側部から股下部にのみ亘って配されており、背側部には配されていない前記＜８＞に記載の吸収性物品。
＜１０＞
前記サブレイヤーシートは、その坪量が１０ｇ／ｍ2以上１００ｇ／ｍ2以下である前記＜８＞又は＜９＞に記載の吸収性物品。
＜１１＞
前記サブレイヤーシートは、親水性繊維を主体とするシートであり、該親水性繊維の含有量が９０質量％以上のシートであり、該シートは、紙、不織布、ウエブの何れかである前記＜８＞〜＜１０＞の何れか１に記載の吸収性物品。
＜１２＞
前記サブレイヤーシートは、その圧縮仕事量が、５０ｇ・ｃｍ／ｃｍ2以上５００ｇ・ｃｍ／ｃｍ2以下であり、好ましくは１００ｇ・ｃｍ／ｃｍ2以上４００ｇ・ｃｍ／ｃｍ2以下である前記＜８＞〜＜１１＞の何れか１に記載の吸収性物品。
【００７０】
＜１３＞
前記下層吸収体は下層吸収性コアを被覆材で包んで形成されており、
前記被覆材は、その液透過性が、前記上層吸収体の液透過性よりも低い前記＜１＞〜＜１２＞の何れか１に記載の吸収性物品。
＜１４＞
前記吸収性物品を平面視したとき、前記インジケーター塗工領域が、縦方向においては前記上層吸収体の前後端近傍に達し、横方向においては少なくとも塗工領域の一部が前記上層吸収体の両側部まで塗工されている前記＜１＞〜＜１３＞の何れか１に記載の吸収性物品。
＜１５＞
前記インジケーター塗工領域は、円形状のインジケーターが縦方向に左右交互に間隔を空けて塗工されて縦方向に延びるインジケーターの群を形成しており、該インジケーター塗工領域は、幅方向方側の円形状のインジケーターの一方側の位置と前記上層吸収体の縦方向に沿う一方側部の側縁の位置とが一致し、幅方向他方側の円形状のインジケーターの他方側の位置と該上層吸収体の縦方向に沿う他方側部の側縁の位置とが一致しており、最も背側部側の円形状のインジケーターの最も先端の位置と該上層吸収体の縦方向の背側部側の端部の端縁の位置とが一致し、最も腹側部側の円形状のインジケーターの最も下端の位置と該上層吸収体の縦方向の腹側部側の端部の端縁の位置とが一致している前記＜１４＞に記載の吸収性物品。
＜１６＞
前記インジケーター塗工領域は、前記上層吸収体の対角線の位置に２本の線からなるインジケーターが配されており、２本の該インジケーターを囲む領域である前記＜１４＞に記載の吸収性物品。
＜１７＞
前記インジケーター塗工領域は、前記上層吸収体の縦方向に沿う両側部の両側縁の位置と、該上層吸収体の縦方向に延びる中心線の位置とに沿って、縦方向に延びる３本のインジケーターの線が配されており、３本の該インジケーターの線を囲む範囲が前記インジケーター塗工領域であり、該インジケーター塗工領域は、一方側のインジケーターの線の位置と該上層吸収体の縦方向に沿う一方側部の側縁の位置とが一致し、他方側のインジケーターの線の位置と上層吸収体の縦方向に沿う他方側部の側縁の位置とが一致して更に、３本のインジケーターの線は、最も背側部側の先端の位置と該上層吸収体の縦方向の背側部側の端部の端縁の位置とが一致し、最も腹側部側の下端の位置と該上層吸収体の縦方向の腹側部側の端部の端縁の位置とが一致している前記＜１４＞に記載の吸収性物品。
＜１８＞
前記上層吸収体は、上層吸収性コアのみから形成されており、
前記上層吸収性コアの坪量は、５０ｇ／ｍ2以上５００ｇ／ｍ2以下である前記＜１＞〜＜１７＞の何れか１に記載の吸収性物品。
＜１９＞
前記下層吸収体は、１枚の被覆材を用いて、該被覆材の両側部を折り返し、下層吸収性コアの非肌対向面側（裏面シート側）に、該被覆材の側縁部どうしを重ねるようにして該下層吸収性コアを包んで形成されている前記＜１＞〜＜１８＞の何れか１に記載の吸収性物品。
＜２０＞
前記下層吸収性コアの坪量は、１００ｇ／ｍ2以上１０００ｇ／ｍ2以下であり、前記被覆材の坪量は、３ｇ／ｍ2以上２０ｇ／ｍ2以下である前記＜１９＞に記載の吸収性物品。
【００７１】
＜２１＞
前記下層吸収性コアにおける前記メイン吸収領域に属する領域の前記吸収ポリマーの坪量は、５０ｇ／ｍ2以上５００ｇ／ｍ2以下であり、好ましくは、１００ｇ／ｍ2以上４００ｇ／ｍ2以下であり、該下層吸収性コアにおける該メイン吸収領域に属する領域の前記セルロース繊維の坪量は、０ｇ／ｍ2以上３００ｇ／ｍ2以下であり、好ましくは、０ｇ／ｍ2以上２００ｇ／ｍ2以下である前記＜１９＞又は＜２０＞に記載の吸収性物品。
＜２２＞
前記下層吸収性コアにおける前記サブ吸収領域に属する領域の前記吸収ポリマーの坪量は、２０ｇ／ｍ2以上４００ｇ／ｍ2以下であり、好ましくは５０ｇ／ｍ2以上３００ｇ／ｍ2以下であり、該下層吸収性コアにおける該サブ吸収領域に属する領域の前記セルロース繊維の坪量は、０ｇ／ｍ2以上２５０ｇ／ｍ2以下であり、好ましくは、０ｇ／ｍ2以上２００ｇ／ｍ2以下である前記＜１９＞〜＜２１＞の何れか１に記載の吸収性物品。
＜２３＞
前記下層吸収性コアにおける前記メイン吸収領域に属する領域の吸収ポリマーの坪量は、該下層吸収性コアにおける前記サブ吸収領域に属する領域の吸収ポリマーの坪量に比べて、１０ｇ／ｍ2以上大きく、好ましくは２０ｇ／ｍ2以上大きい前記＜１９＞〜＜２２＞の何れか１に記載の吸収性物品。
＜２４＞
前記吸収体に含まれる前記吸収ポリマーは、その吸水量が、１０ｇ／ｇ以上５０ｇ／ｇ以下であり、好ましくは１５ｇ／ｇ以上３０ｇ／ｇ以下である前記＜１＞〜＜２３＞の何れか１に記載の吸収性物品。
＜２５＞
前記吸収ポリマーは、２．０ｋＰａでの加圧下吸収量が、１０ｇ／ｇ以上５０ｇ／ｇ以下であり、好ましくは１５ｇ／ｇ以上３０ｇ／ｇ以下である前記＜１＞〜＜２４＞の何れか１に記載の吸収性物品。
＜２６＞
前記吸収ポリマーは、２．０ｋＰａでの加圧下通液速度が、５ｍｌ／ｍｉｎ以上１５０ｍｌ／ｍｉｎ以下であり、１０ｍｌ／ｍｉｎ以上１２０ｍｌ／ｍｉｎ以下である前記＜１＞〜＜２５＞の何れか１に記載の吸収性物品。
＜２７＞
前記吸収ポリマーは、ＤＷ法に従い測定された吸収速度が、１０ｍｌ／（ｇ・１０分）以上１００ｍｌ／（ｇ・１０分）以下であり、好ましくは２０ｍｌ／（ｇ・１０分）以上７０ｍｌ／（ｇ・１０分）以下である前記＜１＞〜＜２６＞の何れか１に記載の吸収性物品。
＜２８＞
前記吸収ポリマーは、ＤＷ法に従い測定された吸収速度が、３ｍｌ／（ｇ・１分）以上３０ｍｌ／（ｇ・１分）以下であり、好ましくは５ｍｌ／（ｇ・１分）以上２０ｍｌ／（ｇ・１分）以下である前記＜１＞〜＜２７＞の何れか１に記載の吸収性物品。
＜２９＞
前記吸収ポリマーは、自重の２０倍以上の液を吸収・保持できかつゲル化しうるものであり、その平均粒子径は、１０μｍ以上１０００μｍ以下であり、好ましくは１００μｍ以上８００μｍ以下の粒子状のものであり、該粒子の形状は、球状、塊状、ぶどう状、俵状の種々の形状の何れかである前記＜１＞〜＜２８＞の何れか１に記載の吸収性物品。
【００７２】
＜３０＞
前記下層吸収体を構成する被覆材は、その液透過時間が、前記上層吸収体の液透過時間に比べて、５秒以上遅く、好ましくは、８秒以上遅い前記＜１＞〜＜２９＞何れか記載の吸収性物品。
＜３１＞
前記下層吸収体を構成する被覆材は、親水性シートであり、該親水性シートとして、透水性の薄紙（ティッシュペーパー）や透水性の不織布からなるコアラップシートを用いる前記＜１＞〜＜３０＞の何れか１に記載の吸収性物品。
＜３２＞
前記上層吸収体を形成する上層吸収性コア及び前記下層吸収体を形成する下層吸収性コアは矩形状であり、該上層吸収性コアは該下層吸収性コアよりも縦方向の長さが短く、かつ幅方向の長さは短い前記＜１＞〜＜３１＞の何れか１に記載の吸収性物品。
＜３３＞
前記上層吸収体を形成する上層吸収性コアは矩形状であり、前記下層吸収体を形成する下層吸収性コアは股下部で括れた形状であり、該上層吸収性コアは該下層吸収性コアよりも縦方向の長さが短く、かつ幅方向の長さは股下部において該上層吸収性コアと該下層吸収性コアとで等しい前記＜１＞〜＜３１＞の何れか１に記載の吸収性物品。
＜３４＞
前記表面シートとしては、親水性且つ液透過性の不織布を用い、前記裏面シートとしては、液不透過性又は撥水性の樹脂フィルム、又は該樹脂フィルムと不織布の積層体を用いる前記＜１＞〜＜３３＞の何れか１に記載吸収性物品。
＜３５＞
前記吸収性物品は使い捨ておむつである前記＜１＞〜＜３４＞の何れか１に記載の吸収性物品。
＜３６＞
前記使い捨ておむつは展開型の使い捨ておむつであり、レッグギャザー及び立体ギャザーを有する前記＜３５＞に記載の使い捨ておむつ。
【符号の説明】
【００７３】
１Ａ，１Ｂ  展開型の使い捨ておむつ
１０  吸収性本体
１０ｓ  吸収性本体１０の縦方向（Ｙ方向）に沿う側部
２  表面シート
３  裏面シート
４  吸収体
４１  下層吸収体
４１１  下層吸収性コア
４１２  被覆材
４２  上層吸収体
４２１  上層吸収体
４Ｍ  メイン吸収領域
４Ｍａ  メイン吸収領域４Ｍの縦方向（Ｙ方向）の腹側部Ａ側の端部
４Ｍｂ  メイン吸収領域４Ｍの縦方向（Ｙ方向）の背側部Ｂ側の端部
４Ｍｓ  メイン吸収領域４Ｍの縦方向（Ｙ方向）に沿う側部
４Ｅ  サブ吸収領域
５  サイドシート
５１  立体ギャザー形成用の弾性部材
５２  レッグギャザー形成用の弾性部材
６  インジケーター
６１  インジケーター
６２  インジケーター
６０  インジケーター塗工領域
６０ａ  インジケーター塗工領域６０の縦方向（Ｙ方向）の腹側部Ａ側の端部
６０ｂ  インジケーター塗工領域６０の縦方向（Ｙ方向）の背側部Ｂ側の端部
６０ｓ  インジケーター塗工領域６０の縦方向（Ｙ方向）に沿う側部
７ａ  パネル材
７ｂ  伸縮パネル
７１  止着部
７２  ファスニングテープ
７３  ランディングテープ
８  サブレイヤーシート
Ａ  腹側部，Ｂ  背側部，Ｃ  股下部
ＣＬ  おむつの縦方向に延びる中心線
【図１】
2014117467.tif 000003
【図２】
2014117467.tif 000004
【図３】
2014117467.tif 000005
【図４】
2014117467.tif 000006
【図５】
2014117467.tif 000007
【図６】
2014117467.tif 000008
【図７】
2014117467.tif 000009